(57)【要約】【課題】高価で大型のポンプを使用することなく、被洗滌物のセットを簡単にして作業者の負担を軽減した洗滌消毒装置を提供する。【解決手段】被洗滌物の洗滌部位の中の特定の洗滌部位の位置情報を得る位置情報取得手段と、位置情報取得手段により得られた位置情報に基づき、特定の洗滌部位に対して該部位に対応した洗滌方法で選択的に洗滌可能な洗滌手段（洗滌シャワーノズル４ａ〜４ｈ）とを備える。【選択図】　　図１
2004141336.tif 000002
【特許請求の範囲】
【請求項１】
被洗滌物の洗滌部位の中の特定の洗滌部位の位置情報を得る位置情報取得手段と、
前記位置情報取得手段により得られた位置情報に基づき、前記特定の洗滌部位に対して該部位に対応した洗滌方法で選択的に洗滌可能な洗滌手段と、
を備えたことを特徴とする洗滌消毒装置。
【請求項２】
前記位置情報取得手段は、前記被洗滌物に設けられ少なくとも該洗滌物の種別を識別する識別情報を基に、該洗滌物の前記特定の洗滌部位の位置情報を得ることを特徴とする請求項１記載の洗滌消毒装置。
【請求項３】
被洗滌物の洗滌部位の中の特定の洗滌部位を示す位置に設けられた該特定の洗滌位置であることを示す識別子を検出する位置情報取得手段と、
前記位置情報取得手段により得られた位置情報に基づき、前記特定の洗滌部位に対して該部位に対応した洗滌方法で選択的に洗滌可能な洗滌手段と、
を備えたことを特徴とする洗滌消毒装置。
【請求項４】
前記被洗滌物は内視鏡であることを特徴とする請求項１から３のいずれか１つに記載の洗滌消毒装置。
【発明の詳細な説明】
【０００１】
【発明の属する技術分野】
本発明は、洗滌消毒装置に関するものである。
【０００２】
【従来の技術】
例えば使用した内視鏡などの医療用具を洗滌並びに滅菌を含む消毒を行なう洗滌消毒装置が従来から知られている。例えば、特開２００２−２３８８４７号公報は、このような内視鏡洗滌消毒装置の一例を開示しており、従来の医療用具および洗滌・消毒装置を用いて相互にデータ通信をすることができる洗滌消毒システムを開示している。
【０００３】
従来の内視鏡洗滌消毒装置においては、洗滌する内視鏡を洗滌槽にセットする際、概ね操作部やコネクター位置が決まるようにガイドする保持網やガイドピンが用意されているが、内視鏡の機種によって挿入部の長さが異なるため、内視鏡のノズル、機構部品およびレンズなどがある最も強力に洗滌したい先端部は機種によって異なる場所にセットされる。機種毎に内視鏡のセット位置を変えてその先端部を同じ位置にする場合もあるが、セット作業が煩雑になるので、もっぱら機種毎にセット方法を変えずに、その先端部がセットされる可能性がある範囲全体にシャワーや流液が当たるようにしている。
【０００４】
【発明が解決しようとする課題】
上記した従来の洗滌消毒装置では、内視鏡の先端部がセットされる可能性がある範囲全体にシャワーや流液が当たるようにしている。そのため、限られたポンプの送水圧力は分散されてしまうので、送水圧力の大きい高価で大型のポンプを使用しなければならなかった。
【０００５】
本発明は、このような課題に着目してなされたものであり、その目的とするところは、高価で大型のポンプを使用することなく、被洗滌物のセットを簡単にして作業者の負担を軽減した洗滌消毒装置を提供することにある。
【０００６】
【課題を解決するための手段】
上記の目的を達成するために、第１の発明に係る洗滌消毒装置は、被洗滌物の洗滌部位の中の特定の洗滌部位の位置情報を得る位置情報取得手段と、前記位置情報取得手段により得られた位置情報に基づき、前記特定の洗滌部位に対して該部位に対応した洗滌方法で選択的に洗滌可能な洗滌手段とを備える。
【０００７】
また、第２の発明に係る洗滌消毒装置は、第１の発明に係る洗滌消毒装置に関わり、前記位置情報取得手段は、前記被洗滌物に設けられ少なくとも該洗滌物の種別を識別する識別情報を基に、該洗滌物の前記特定の洗滌部位の位置情報を得る。
【０００８】
また、第３の発明に係る洗滌消毒装置は、被洗滌物の洗滌部位の中の特定の洗滌部位を示す位置に設けられた該特定の洗滌位置であることを示す識別子を検出する位置情報取得手段と、前記位置情報取得手段により得られた位置情報に基づき、前記特定の洗滌部位に対して該部位に対応した洗滌方法で選択的に洗滌可能な洗滌手段とを備える。
【０００９】
また、第４の発明に係る洗滌消毒装置は、第１から第３の発明のいずれか１つに記載の洗滌消毒装置に関わり、前記被洗滌物は内視鏡である。
【００１０】
【発明の実施の形態】
以下、図面を参照して本発明の一実施形態を詳細に説明する。本実施形態では、内視鏡に内蔵もしくは外付けされた通信手段を設ける。このような内視鏡を、洗滌装置の洗滌槽に設けられたガイドに沿ってセットする。洗滌装置側には内視鏡と通信する手段が設けてあり、両通信手段の通信により、洗滌槽にセットされた内視鏡の種別を認識し、その内視鏡固有の、強力洗滌しなければならない位置（特に先端部）に関する情報を取得し、その位置に対応する洗滌装置側のシャワーや流液などを選択的に出力したり、強度を強力にしたりする。
【００１１】
また、本実施形態では、内視鏡の先端部等の強力洗滌しなければならない位置に通信手段を内蔵もしくは外付けをして、洗滌装置がその通信手段が設けられた位置を検出して、当該位置に対応する洗滌装置側のシャワーや流液を選択的に出力したり、強度を強力にしたりする。
【００１２】
このような方法によれば、被洗滌物を洗滌消毒装置にセットする際に、その強力に洗滌したい部分を洗滌槽内のシャワーノズル等の位置に合わせてセットしなくとも良くなるので、作業者の負担が軽減されるだけでなくセットミスも減少する。
【００１３】
（第１実施形態）
図１は、本発明の第１実施形態に係る内視鏡洗滌消毒装置の概要構成を示す図である。図１において、内視鏡１を洗滌するための洗滌槽２の内部には、当該内視鏡１をセットするための内視鏡保持部材４１が配置されている。内視鏡１のセット時には、洗滌槽２の蓋３が開けられて、内視鏡１がこの内視鏡保持部材４１に沿わせてセットされる。
【００１４】
また、水道水等の給水源１６は、給水弁１７、給水フィルター１０、逆止弁１１、給水系管路１５を介して洗滌槽２の注入口１８に接続される。エアーポンプ４０は漏水検知管路３９により洗滌槽２の漏水検知用接続口３８と連通している。この漏水検知用接続口３８に漏水検知チューブ３７が取り付けられ、これが内視鏡１と接続している。このような構成により内視鏡１の漏水を検知する。
【００１５】
洗滌槽２の内部には、流液洗滌用管路９を介して流液洗滌用ポンプ８の吐出口と連通している流液噴出口７が設けられ、ここから高圧水が噴射され、洗滌槽２に溜まった洗滌水に流れを作り、内視鏡１の外表面全体を洗滌する。
【００１６】
内視鏡洗滌消毒装置本体には、管路内洗滌用管路１９および流液洗滌用管路９が設けられている。これらの管路１９，９の吸い込み側は、洗滌槽２底部の循環液吸い込み口２０に連通されている。管路内洗滌用管路１９の他端は管路内洗滌用ポンプ２１に接続されている。管路内洗滌用ポンプ２１は電磁開閉弁２５，２６を介してチャンネル接続口２２側の管路２７と、洗滌シャワーノズル４ａ〜４ｈ側のシャワー管路２４が分岐して形成されている。
【００１７】
前記チャンネル接続口２２は、内視鏡保持部材４１の上に設置された内視鏡１の各種チャンネルに、内視鏡管路洗滌用チューブ２８を介して連結されるようになっている。内視鏡保持部材４１は、洗滌槽２の中に内視鏡１をセットする際に内視鏡１の操作部やコネクターの概略の位置が決まるようにガイドするものである。またチャンネル接続口２２に連結されている管路内洗滌用管路１９の途中には、逆止弁４２、２９を介してエアー供給管路３０が連結されている。このような構成により、コンプレッサー３１からの圧縮空気は、スコープの各種チャンネル接続口２２と洗滌シャワーノズル４ａ〜４ｈに送られ、除水を行うようになっている。
【００１８】
前述のシャワー管路２４は、シャワー切替弁５ａ〜５ｈを介して洗滌槽２に固定された洗滌シャワーノズル４ａ〜４ｈに対応して分岐されて取り付けられている。内視鏡保持部材４１にセットされた内視鏡１に内蔵された遠隔通信手段（図２）と洗滌槽２に取り付けられた送受信部６とが通信をして、洗滌消毒装置内部に構築された内視鏡１の固有データベースから内視鏡１の種類を判別し、それがセットされた場合の、特に強力に洗滌したい複雑な形状の内視鏡先端部１ａが洗滌槽２のどの位置にくるかを割り出し、そこに対応する洗滌シャワーノズル例えば４ｃと４ｇのシャワー切替弁５ｃと５ｇのみを開いて、先端部１ａを選択的に強力にシャワー洗滌することができる。
【００１９】
また、消毒液タンク３２からの管路３３が注入ポンプ３４、逆止弁１２を介して洗滌槽２の注入口に連通されている。排水管路３５の一端部側は、管路切替弁機構１３を介して洗滌槽２の排水口１４に連結されているとともに、他端は排水ポンプ３６を介して装置外まで連通されている。管路切替弁機構１３は洗滌槽２の排水口１４に連結されていて、洗滌槽２内の液体を任意に排水管路３５と薬液回収管路２３とに振り分ける弁機構を有している。
【００２０】
次に上記構成の作用について説明する。まず、洗滌消毒装置本体の使用時に、作業者は、使用済みの内視鏡１を洗滌槽２内の内視鏡保持部材４１にセットし、漏水検知チューブ３７を内視鏡１と漏水検知用接続口３８に連結させる。その後、図示していない操作パネル上の漏水検知スイッチを押すことで、例えば水道水等の給水源１６からの洗滌水が給水フィルター１０および、給水系管路１５を介して注入口１８から洗滌槽２内に供給される。そして、あらかじめ決められた一定量の水が供給されるとエアーポンプ４０が動き、漏水検知管路３９及び漏水検知チューブ３７を介してエアーが内視鏡１の漏水検知管路に送り込まれる。もし内視鏡１にピンホールなどの穴があった場合は、内視鏡１から気泡が発生するので目視で判別できる。漏水検知が終了したら洗滌槽２に溜められた水は、排水されるので、漏水検知チューブ３７をはずし、内視鏡管路洗滌用チューブ２８を内視鏡１およびチャンネル接続口２２に連結させる。
【００２１】
その後、図示していない操作パネルの各種操作スイッチ操作にともない洗滌、消毒、すすぎ、送気の各工程が行われる。洗滌、消毒の時間や消毒液の温度などは、図示していない設定パネルでユーザーが設定する。
【００２２】
始動後の動作の一例を説明する。まず洗滌工程では初めに給水弁１７が開き、例えば水道水等の給水源２６からの洗滌水が給水フィルター１０および、給水系管路１５を介して注入口１８から洗滌槽２内に供給される。また、あらかじめ設定された液量の洗剤を工程開始前にユーザーが洗滌槽２内に注入しておく。そして、一定量の水が供給されると、管路内洗滌用ポンプ２１が洗滌槽２に溜まった洗滌水を循環液吸い込み口２０から吸い上げる。このとき電磁切替弁２５を閉じるとともに電磁切替弁２６を開くことで、洗滌水をシャワー管路２４へ送る。
【００２３】
洗滌消毒装置は、洗滌槽２内の内視鏡１に内蔵された後述する遠隔通信装置と通信して内視鏡１の種別を判別し、その先端部１ａの洗滌槽２内部における位置情報を取得する。そして、当該位置に対応する洗滌シャワーノズル４ｃと４ｇのシャワー切替弁５ｃと５ｇのみを開いて、先端部１ａを選択的に強力にシャワー洗滌する。１分程度のシャワー洗滌が終了すると、管路切替弁機構１３が排水側に切り替わり、排水ポンプ３６が動き、洗滌槽２の中の洗滌水が排水口１４から装置外に排出される。排出が終わったら、管路切替弁機構１３が閉じ、再び給水弁１７が開き、洗滌槽２に洗滌水が注入される。内視鏡１が洗滌水に浸ったら流液洗滌用ポンプ８が動きだし、循環液吸い込み口２０から洗滌槽２内の洗滌水を吸い込み、流液洗滌用管路９を介して流液噴出口７から洗滌槽２内に吹き込まれ、循環する。この工程では内視鏡１に付着した大きな汚れ、柔らかい汚れ、軽い汚れ等が洗滌される。すなわち洗滌槽２内で渦巻いている液流や流液噴出口から噴出された液の衝撃力によって汚れが落とされる。あらかじめ設定された流液洗滌の工程時間が終了すると、管路切替弁機構１３を排水側に開くと同時に排水ポンプが駆動され洗滌槽２内の洗滌水が、外部に排出される。
【００２４】
その後、給水弁１７が開いて新しい水が洗滌槽２内に供給されると共に管路内洗滌用ポンプ２１が駆動される。即ちすすぎが行われる。このすすぎ工程の間に、あらかじめ設定された時間及び回数で電磁切換弁２５，２６の開閉を逆にして、シャワー管路２４に、すすぎ水を送り洗滌シャワーノズル４を介して、内視鏡１の先端部１ａも強力にすすぐ工程を行う。
【００２５】
またこのすすぎ工程の後半では管路内洗滌用ポンプ２１が停止されるとともにコンプレッサー３１がＯＮされ、チャンネル接続口２２を介して内視鏡１の各種チャンネル内及び電磁開閉弁２５，２６の開閉を切り換えることで洗滌シャワーノズル４とにエアーが送り込まれ内視鏡１とシャワー管路２４の水切りが行われる。
【００２６】
すすぎ工程が終了した後、続いて消毒工程が行われる。この消毒工程では初めに消毒液タンク３２の中の消毒液が注入ポンプ３４、消毒液注入管路３３を介して注入口１８から洗滌槽２に供給される。逆止弁１１，１２は、給水と消毒液が逆流しないように各管路に配置されている。内視鏡１の全体は洗滌槽２に溜められた消毒液に完全に浸漬されるとともに、管路内洗滌用ポンプ２１のオン操作により洗滌槽２内の消毒液がチャンネル接続口２２に供給され内視鏡１の消毒が行われる。また、電磁切替弁２５，２６の切替でシャワー管路２４側にも消毒液を流す。この消毒工程により、装置内の汚れる管路総てに消毒液が回るため、装置内をも自動的に消毒することができる。そして所定時間が経過すると管路切替弁機構１３が回収側に開き、消毒液が消毒液回収管路２３を経て消毒液タンク３２に回収される。
【００２７】
消毒工程の終了後続いて再びすすぎ工程が行われる。すすぎ工程の後、コンプレッサー３１の駆動により内視鏡管路内の水切りが完全に行われる。さらに一定時間経過後、排水ポンプ３６が停止する。最後の工程が終了した後、洗滌槽２に残水が無いように管路切替弁機構１３は排水側に開いた状態で保持される。
【００２８】
図２は、上記した遠隔通信装置の一例としてのトランスポンダの概略構成を示す図であり、アンテナ５０と、ＩＣパッケージ５１とを硬質ガラス管５２にて覆った構成となっている。
【００２９】
図３は、操作部１ｃに図２で説明した遠隔通信装置１ｂを内蔵した内視鏡１の一例を示す図である。
【００３０】
図４は、第１実施形態に係る洗滌消毒装置１００の外観を示す図であり、洗滌消毒装置１００の洗滌槽２内の内視鏡保持部材４１には、内視鏡１が保持されている。蓋３の内面及び洗滌槽２の底部には複数の洗滌シャワーノズル４が設けられている。また、洗滌消毒装置１００の側面には操作パネル１００ａが設けられている。
【００３１】
図５は、複数の洗滌シャワーノズル４ａ〜４ｈのうち、内視鏡１の先端部１ａに対応する洗滌シャワーノズル４ｂ、４ｃ、４ｇを選択して、先端部１ａに洗滌水４３を噴出させて、先端部１ａを洗滌しているようすを示す図である。
【００３２】
図６は、上記した内視鏡保持部材４１の一構成例を示す図であり、内視鏡１の操作部１ｃを乗せる操作部ガイド８０と内視鏡１の挿入部を乗せる挿入部ガイド８１とを備えている。
【００３３】
図７は、洗滌槽２内の内視鏡保持部材４１に内視鏡１をセットしたようすを示す図である。内視鏡１は、その使用条件から操作部１ｃから先端までの挿入部の長さがそれぞれ異なっている。したがって、内視鏡保持部材４１の操作部ガイドに内視鏡１の操作部１ｃをセットすると、挿入部の長い内視鏡１の先端部１ａはＢで示したエリア、短いものはＣで示したエリア、その中間の物はＡで示したエリアに位置することになる。
【００３４】
図８は、内視鏡１と洗滌消毒装置１００とが通信する通信手段の構成を示すブロック図である。図８において、洗滌消毒装置１００側の通信手段は、送信を行うための発振回路１００ｂと、変調回路１００ｃと、送信コイルＬ１と、受信を行うための受信コイルＬ２と、復調回路１００ｄと、上記各構成要素を制御するコントローラ１００ｅとから構成される。
【００３５】
また、内視鏡１側の通信手段は、信号を送受信するためのコイルＬ３と、共振用のコンデンサＣと、復調回路１ｄと、変換器１ｅと、変調回路１ｇと、メモリ１ｈと、上記各構成要素を制御する主制御部１ｆとから構成される。さらに、内視鏡１の内部には、コイルＬ４で受信した信号を整流・平滑する整流・平滑回路１ｉが設けられ、平滑・整流された信号は、上記内視鏡１内部の構成各部の駆動電力を確保するのに使用される。
【００３６】
次に上記構成の作用を説明する。内視鏡１が洗滌槽２にセットされ、洗滌工程を開始するスイッチを入れると、コントローラ１００ｅは、内視鏡１と通信を開始する。即ち、コントローラ１００ｅは、洗滌消毒装置１００の本体制御回路１０１からシリアル信号情報として転送される読込みコマンドを受信して変調回路１００ｃに送ると、変調回路１００ｃにおいてデジタル変調された無線周波信号が送信コイルＬ１に印加される。
【００３７】
送信コイルＬ１から発せられた無線周波信号は、内視鏡１側のコイルＬ３に信号を誘起する。内視鏡１内では、この誘起された信号を増幅し、復調回路１ｄでもとのデジタル信号に復調する。主制御部１ｆは、デジタル化されたシリアル信号情報に基づいて、メモリ１ｈから対応するデータを読み込む。変換器１ｅは、このデータを送信コイルＬ１から送られる無変調信号に同期してシリアル信号に変換する。変調回路１ｇは、この変換されたシリアル信号に従って、Ｌ３とＣとで構成されるタンク回路を共振状態にするか否かを決定する。
【００３８】
洗滌消毒装置１００側のコントローラ１００ｅは、内視鏡１側のタンク回路が共振しているか否かをコイルＬ２を介して検出する事により情報の交信が行われる。
【００３９】
洗滌消毒装置１００の本体制御回路１０１では、上記通信によって得られた内視鏡１の機種コードを、図９に示すような、洗滌消毒装置１００のメモリ内に記憶された、内視鏡１の先端位置についてのデータベース（内視鏡機種コードと先端部位置コードとを対応つけたもの）と比較し、その比較結果に基づいて、セットされた内視鏡１の洗滌槽２内における先端部１ａの位置に関する情報を取得することができる。
【００４０】
（第２実施形態）
図１０は、第２実施形態に係る洗滌消毒装置３００の外観を示す図であり、洗滌消毒装置３００の洗滌槽２０２には、内視鏡２０１が保持されている。蓋２０３の内面及び洗滌槽２０２の底部には複数の洗滌シャワーノズル２０４が設けられている。また、洗滌消毒装置３００の側面には操作パネル３００ａが設けられている。
【００４１】
第２実施形態では、内視鏡２０１の洗滌部位の中の特定の洗滌部位、すなわち、特に強力に洗滌したい部位、例えば先端部や操作部に、特定の洗滌位置であることを示す識別子としての遠隔通信装置を内蔵したことを特徴とする。洗滌消毒装置３００は、この内蔵された遠隔通信装置と通信を行なって、その位置を検出し、洗滌槽２０２内及び蓋２０３に多数配置された洗滌シャワーノズル２０４のうちから、前記検出した位置に対応する洗滌シャワーノズルを選択して、その部分だけ強力に洗滌水を吹き付けて洗滌する。洗滌シャワーノズル２０４は小さな間隔で多数配置してあるので、ユーザは、被洗滌物としての内視鏡を特にその設置位置を気にせずに洗滌槽２０２内にセットできる。
【００４２】
図１１は、内視鏡２０１の先端部２０１ａに、遠隔通信装置２０１ｂを内蔵した例を示しており、洗滌消毒装置３００が遠隔通信装置２０１ｂと通信してその信号出力の強さに基づいて遠隔通信装置２０１ｂ、すなわち内視鏡２０１の先端部２０１ａを検出する。
【００４３】
（付記）
１．内視鏡に内蔵もしくは外付けされた通信手段を洗滌装置が読み取り、洗滌槽に入れられた内視鏡の種別を認識し、その内視鏡固有の強力洗滌しなければならない位置についての情報を取得し、その位置に対応する洗滌装置側のシャワーや流液を選択的に出力したり、強めたりする洗滌消毒装置。
【００４４】
２．内視鏡の先端部等の強力洗滌しなければならない位置に通信手段を内蔵もしくは外付けをして、洗滌装置がその位置を検出して、当該位置に対応する洗滌装置側のシャワーや流液を選択的に出力したり、強めたりまたは吹き付け時間を長くしたりする洗滌消毒装置。
【００４５】
【発明の効果】
本発明によれば、高価で大型のポンプを使用することなく、被洗滌物のセットを簡単にして作業者の負担を軽減することができる。特に、被洗滌物を洗滌消毒装置にセットする際に、その強力に洗滌したい部分を洗滌槽内のシャワーノズル等の位置に合わせてセットしなくとも良くなるので、作業者の負担が軽減されるだけでなくセットミスも減少する。
【図面の簡単な説明】
【図１】本発明の第１実施形態に係る内視鏡洗滌消毒装置の概要構成を示す図である。
【図２】遠隔通信装置の一例としてのトランスポンダの概略構成を示す図である。
【図３】操作部に図２で説明した遠隔通信装置を内蔵した内視鏡の一例を示す図である。
【図４】本発明の第１実施形態に係る洗滌消毒装置の外観を示す図である。
【図５】複数の洗滌シャワーノズルのうち、内視鏡の先端部に対応する洗滌シャワーノズルにより当該先端部を洗滌しているようすを示す図である。
【図６】内視鏡保持部材の一構成例を示す図である。
【図７】洗滌槽内の内視鏡保持部材に内視鏡をセットしたようすを示す図である。
【図８】内視鏡と洗滌消毒装置とが通信する通信手段の構成を示すブロック図である。
【図９】内視鏡先端位置についてのデータベースを示す図である。
【図１０】本発明の第２実施形態に係る洗滌消毒装置３００の外観を示す図である。
【図１１】内視鏡の先端部に遠隔通信装置を内蔵した例を示す図である。
【符号の説明】
１　内視鏡
１ａ　内視鏡先端部
１ｂ　操作部
１ｃ　遠隔通信装置
２　洗滌槽
３　蓋
４（４ａ〜４ｈ）　洗滌シャワーノズル
６　送受信部
４１　内視鏡保持部材
４３　洗滌水
５０　アンテナ
５１　ＩＣパッケージ
５２　硬質ガラス管
１００　洗滌消毒装置
１００ａ　操作パネル
【図１】
2004141336.tif 000003
【図２】
2004141336.tif 000004
【図３】
2004141336.tif 000005
【図４】
2004141336.tif 000006
【図５】
2004141336.tif 000007
【図６】
2004141336.tif 000008
【図７】
2004141336.tif 000009
【図８】
2004141336.tif 000010
【図９】
2004141336.tif 000011
【図１０】
2004141336.tif 000012
【図１１】
2004141336.tif 000013